(57)【要約】  加工槽（６）の内部において電極とワーク（１２）との間で放電を行ってワーク（１２）の表面を除去することにより、ワーク（１２）を加工する放電加工機のワーク取付台（２０）であって、導電性材料で形成され、加工槽（６）の底部に設置された定盤取付台（３）と、各々が平板状であって、定盤取付台（３）の上に各々の間に隙間（４）を空けて並べて固定されて絶縁平板（３０）を構成する複数の絶縁材（２）と、金属材料で形成され、絶縁平板（３０）の上に固定されて絶縁平板（３０）によって定盤取付台（３）と絶縁され、ワーク（１２）が固定される定盤（１）とを有する。
2013054444.tif 000002
【特許請求の範囲】
【請求項１】
加工槽の内部において電極とワークとの間で放電を行って前記ワークの表面を除去することにより、前記ワークを加工する放電加工機のワーク取付台であって、
導電性材料で形成され、前記加工槽の底部に設置された定盤取付台と、
各々が平板状であって、前記定盤取付台の上に各々の間に隙間を空けて並べて固定されて絶縁平板を構成する複数の絶縁材と、
金属材料で形成され、前記絶縁平板の上に固定されて該絶縁平板によって前記定盤取付台と絶縁され、前記ワークが固定される定盤とを有することを特徴とする放電加工機のワーク取付台。
【請求項２】
前記定盤、前記絶縁平板及び前記定盤取付台を、逆段差をなすように重ねたことを特徴とする請求項１に記載の放電加工機のワーク取付台。
【請求項３】
前記定盤取付台は、前記絶縁材同士の間に対応する部分に、下側に凹んだ逃がし形状部を有することを特徴とする請求項１または２に記載の放電加工機のワーク取付台。
【請求項４】
前記隙間が絶縁材料で封止されたことを特徴とする請求項１または２に記載の放電加工機のワーク取付台。
【請求項５】
前記絶縁平板及び前記定盤が、前記定盤取付台の上面の中心を基準として左右対称に固定されたことを特徴とする請求項１または２に記載の放電加工機のワーク取付台。
【請求項６】
前記定盤は、複数に分割されていることを特徴とする請求項１または２に記載の放電加工機のワーク取付台。
【請求項７】
前記定盤取付台は鋳物であり、前記複数の絶縁材はセラミック板であり、前記定盤はステンレス製であることを特徴とする請求項１または２に記載の放電加工機のワーク取付台。
【発明の詳細な説明】
【技術分野】
【０００１】
本発明は、放電加工機のワーク取付台に関する。
【背景技術】
【０００２】
例えばワイヤカット放電加工機などの定盤を絶縁するため、従来は特許文献１のように被加工物（ワーク）を固定する定盤の足を絶縁性のブロック材とすることで定盤自体の絶縁を確保する方法がある。また、特許文献２のように定盤の下に鋳物からなる定盤の取付台、その下に絶縁ブッシュを設けることで、定盤と定盤取付台からなるワーク取付台自体を絶縁する絶縁方法があった。【０００３】
また、ワークを定盤に取り付ける際には、被加工物の加工精度がミクロン単位の精度を要求されることから定盤面にも高い精度が要求される。このため機械を出荷後、機械を輸送する運搬コンテナ内で大きな温度上昇／低下による定盤面の精度変化が生じないことも要求される。例えば、鋳物（線膨張率１２）である定盤取付台とステンレス（線膨張率１７）の定盤とをセラミック（線膨張率７）を使用して絶縁する場合、線膨張率の異なる材料間に生じるバイメタル効果により輸送時の温度変化による定盤面の精度悪化の問題が生じる。【０００４】
通常は定盤を分割してバイメタル効果を抑える形状をとっていた（特許文献３参照）。
【先行技術文献】
【特許文献】
【０００５】
【特許文献１】特開昭６３−１８５５３０号公報
【特許文献２】国際公開第００／５４９１９号
【特許文献３】特開平４−３６０７１６号公報
【発明の概要】
【発明が解決しようとする課題】
【０００６】
上記特許文献１の方法では大きな重量のワークを絶縁材で支える構造となるため、ブロック状の絶縁材は剛性が必要となり、絶縁材が大型になって製作コストも高くなる問題があった。【０００７】
また、特許文献２に記載の絶縁方法では、定盤取付台の下に絶縁ブッシュを設けるため、浸漬加工中の加工屑の堆積によって絶縁が破壊されるという問題があった。【０００８】
特許文献３のように定盤を分割する場合にはワークの取付位置によって加工電流などの条件が微妙に異なる等、別の不具合も発生していた。【０００９】
また、定盤を分割せず、一体の定盤の下に絶縁材を組み付けた構造の場合、輸送中の温度変化によるバイメタル効果によって定盤を固定しているボルトに対して定盤と絶縁材との間の面での剪断力が発生する。この剪断力が定盤を固定しているボルトの締結力によって生じる定盤と絶縁材との間の摩擦力を超えた場合、接触面での滑りを伴った変形が生じる。この現象は絶縁板と定盤取付台との間でも同様に生じるが、このような温度変化に伴う変形は、場合によってはヒステリシスを伴った変形となるため、温度が元に戻った場合でも定盤精度が低下したまま戻らないという問題があった。【００１０】
このように、従来の加工機は上記のような構造をとっているため、絶縁材の製造コストが高い、絶縁構造の信頼性が劣る、温度変化でバイメタル効果によるヒステリシスを伴う変形で定盤精度が低下したままになるなどの問題があった。【００１１】
本発明は、上記に鑑みてなされたものであって、安価な定盤絶縁構造を有し、輸送時の温度変化の影響による定盤精度の低下を防止した放電加工機のワーク取付台を得ることを目的とする。
【課題を解決するための手段】
【００１２】
上述した課題を解決し、目的を達成するために、本発明は、加工槽の内部において電極とワークとの間で放電を行ってワークの表面を除去することにより、ワークを加工する放電加工機のワーク取付台であって、導電性材料で形成され、加工槽の底部に設置された定盤取付台と、各々が平板状であって、定盤取付台の上に各々の間に隙間を空けて並べて固定されて絶縁平板を構成する複数の絶縁材と、金属材料で形成され、絶縁平板の上に固定されて絶縁平板によって定盤取付台と絶縁され、ワークが固定される定盤とを有することを特徴とする。
【発明の効果】
【００１３】
本発明にかかる放電加工機のワーク取付台は、温度変化の影響による定盤精度の低下を防止でき、定盤の絶縁を安定して行えるという効果を奏する。
【図面の簡単な説明】
【００１４】
【図１】図１は、本発明にかかる放電加工機のワーク取付台の実施の形態の構成を示す図である。
【図２】図２は、ワーク取付台の部分断面図である。
【図３】図３は、絶縁平板を分割していない場合に定盤、絶縁材及び定盤取付台の各々の界面に生じる応力を模式的に示す図である。
【図４】図４は、絶縁平板を分割している場合に定盤、絶縁材及び定盤取付台の各々の界面に生じる応力を模式的に示す図である。
【図５】図５は、定盤を固定するボルトや絶縁材を固定するボルトのピッチを狭くした場合に、温度変化によって定盤、絶縁材及び定盤取付台の間に生じる剪断方向応力を模式的に示す図である。
【図６】図６は、絶縁平板の隙間に対応する部分に逃がしを設けた定盤取付台を有するワーク取付台の部分側面図である。
【図７】図７は、絶縁平板の隙間を絶縁材料で封止したワーク取付台の部分側面図である。
【発明を実施するための形態】
【００１５】
以下に、本発明にかかるワーク取付台の実施の形態を図面に基づいて詳細に説明する。なお、この実施の形態によりこの発明が限定されるものではない。
【００１６】
実施の形態．
図１は、本発明にかかる放電加工機のワーク取付台の実施の形態の構成を示す図である。図１では加工槽６の一部を切り欠いて示すことによって、加工槽６の内部を図示している。ワーク取付台２０は加工槽６の底部に設けられる。ワーク取付台２０には鋳物からなる定盤取付台３の上に、平板状の複数の絶縁材２が一定の隙間４を持って（各々の間に隙間４を空けて）固定されており、絶縁材２全体が、所定の長さに分割された絶縁平板３０を形成している。絶縁材２は、電気的絶縁性を有する材料によって形成されている。絶縁板２の材料としては、物性が安定しており、かつ高い強度を備えるセラミック、例えばアルミナ（Ａｌ２Ｏ３）やシリカ（ＳｉＯ２）などを適用可能である。これら平板状の絶縁材２の上には定盤１が固定されている。絶縁平板３０を複数の絶縁材２からなる分割した平板として構成することより、絶縁材２の使用量を削減でき、加工も容易であることから低コストで製作が可能となる。
【００１７】
定盤１は、金属製導電体によって形成されている。定盤１の材料としては、硬度が高く防錆性に優れたステンレス材料（例えばマルテンサイト系ステンレス）を適用可能である。定盤１の上面は精度良く平面度が仕上げられており、この上にワーク１２を取り付けて電気的に加工を施すようになっている。定盤１に直接ワーク１２を取り付けることができるため、ワーク１２の取付作業が容易である。また定盤１は、加工槽６の底面から離れた位置で絶縁平板３０によって定盤取付台３と絶縁されているため、加工槽６の底面に堆積した加工屑によって定盤１と定盤取付台３との絶縁が破壊されることは防止される。すなわち、絶縁材２を定盤取付台３の下ではなく定盤取付台３と定盤１との間に固定することで加工屑の堆積による絶縁破壊が生じにくくなっている。
【００１８】
図２は、ワーク取付台２０の部分断面図である。絶縁材２は、ボルト１５によって定盤取付台３に固定されている。また、定盤１は、ボルト５によって絶縁材２に固定されている。定盤１及び絶縁材２の固定位置をワーク取付台２０の左右方向で対称とすることにより、ワーク１２の取付位置の違いによる加工電流などの加工条件の変動を小さく抑えることができる。
【００１９】
複数の絶縁材２がなす絶縁平板３０は、図１に示すように隙間４で分割されており、定盤１の温度変化によって生じる定盤１と絶縁材２との界面７での剪断方向応力９は、定盤１を固定しているボルト５の締結力によって定盤１と絶縁材２との界面７に生じる摩擦力１１ａによる応力よりも小さくされている。また、絶縁材２と定盤取付台３との界面８での剪断方向応力１０は、絶縁材２を固定しているボルト１５の締結力によって絶縁材２と定盤取付台３との界面８に生じる摩擦力１１ｂによる応力よりも小さくされている。
【００２０】
図３は、絶縁平板３０を分割していない場合に定盤１、絶縁材２及び定盤取付台３の各々の界面に生じる応力を模式的に示す図である。図４は、絶縁平板３０を分割している場合に定盤１、絶縁材２及び定盤取付台３の各々の界面に生じる応力を模式的に示す図である。ここでは説明の簡略化のためにボルト５及ボルト１５の設置位置を揃えて図示しているが、これらは図２に示したように不揃いに設置されていても良い。絶縁平板３０を分割している場合には、隙間４の部分では絶縁材２が定盤１及び定盤取付台３の変形を妨げないため、定盤１や定盤取付台３の隙間４に対応する部分では、両脇の絶縁材２が存在する部分へ向かう方向の応力が発生する。この応力は、定盤１や定盤取付台３の絶縁材２に対応する部分で生じた応力と打ち消し合う。このため、絶縁平板３０を分割構造とすることにより、機械の温度変化によって生じる定盤１と絶縁材２との界面７での剪断方向応力９を、定盤１を固定しているボルト５の締結力によって生じる定盤１と絶縁材２との界面７での摩擦力１１ａによる応力よりも小さくすることができる。また、絶縁材２と定盤取付台３との界面８での剪断方向応力１０についても、絶縁材２を固定しているボルト１５の締結力によって生じる絶縁材２と定盤取付台３との界面８での摩擦力１１ｂによる応力よりも小さくすることができる。
【００２１】
隙間４は、放電加工の際に発生する加工屑の粒子と比べて十分に大きい寸法とすることにより、隙間４内に加工屑が堆積して定盤１と定盤取付台３との間の絶縁が破壊されることを防止するとともに、定盤１と絶縁材２との界面７や絶縁材２と定盤取付台３との界面８での温度変化によるヒステリシスを伴った変形を抑え、定盤１の精度の低下を防止する効果を高めることができる。
【００２２】
図１に示す例では絶縁平板３０を４分割しているが、絶縁平板３０の分割数はこれに限定されず、増減させることが可能である。図５は、定盤１を固定するボルト５や絶縁材２を固定するボルト１５のピッチを狭くした場合に、温度変化によって定盤１、絶縁材２及び定盤取付台３の間に生じる剪断方向応力９、１０を模式的に示す図である。図５に示すように、定盤１や絶縁材２を固定しているボルト５、１５のピッチを狭くして固定するボルト５、１５の数を増やすと、ボルト５、１５の各々１本当たりの剪断方向応力９、１０を小さくすることができる。したがって、絶縁平板３０の分割数を減らす場合には、隙間４の減少により剪断方向応力９、１０が大きくなるため、ボルト５、１５の本数を増やす必要がある。逆に、絶縁平板３０の分割数を増やす場合には、隙間４の増加により剪断方向応力９、１０が小さくなるため、ボルト５、１５の本数を減らすことが可能である。
【００２３】
また、図２に示したように、ワーク取付台２０は、定盤取付台３、絶縁材２及び定盤１が逆段差となるように構成されている。換言すると、定盤取付台３の上に絶縁材２が張り出し、絶縁材２の上にさらに定盤１が張り出す構造となっている。このような構造とすることにより、加工屑の堆積による絶縁破壊が起きにくくなっている。これにより、ワーク取付台２０は高い耐久性を有し、長期使用が可能となっている。
【００２４】
図６は、絶縁平板３０の隙間４に対応する部分に下側に凹んだ逃がし形状部１３を設けた定盤取付台３を有するワーク取付台２０の部分側面図である。図６に示すように、定盤取付台３の隙間４に対応する部分については、例えば鋳物をＵ字状に逃がし形状部１３を設けて加工屑の排出性が良くなるように形成することも考えられる。なお、逃がし形状部１３は加工屑の排出性を高めることができればよく、コの字状、Ｖ字状、その他任意形状とすることもできる。
【００２５】
図７は、絶縁平板３０の隙間４を絶縁材料１４で封止したワーク取付台２０の部分側面図である。図７に示すように、絶縁平板３０の隙間４に加工屑が入らないように、シリコンやゴムなどの絶縁材料１４で隙間４を封止することも可能である。
【００２６】
上記の例では定盤１が一体形状である場合を例としたが、加工電流などの条件の変動が問題とならないのであれば、定盤１を分割した場合でも同様の効果が得られることは言うまでもない。この場合には、定盤１及び絶縁材２の固定位置をワーク取付台２０の左右方向で対称とすることにより、ワーク１２の取付位置の違いによる加工電流などの加工条件の変動を小さく抑えることができる。
【００２７】
本実施の形態によれば、分割しない一体の形状の定盤であっても、分割した絶縁材を定盤と定盤取付台との間に挟み込む構造とすることで、絶縁材を最小限の平板形状として安価な絶縁構造を得ることが可能となり、加工屑の堆積による絶縁破壊の影響も無くした信頼性の高い絶縁構造をとることが可能となる。また、絶縁された定盤構造であるにもかかわらず機械輸送時の温度変化による定盤の精度の低下を防ぎ、温度変化によらない安定した定盤精度を維持することが可能である。
【産業上の利用可能性】
【００２８】
以上のように、本発明にかかる放電加工機のワーク取付台は、温度変化の影響による定盤精度の低下を防止でき、かつ、絶縁板の加工コストを低く抑えられる点で有用である。
【符号の説明】
【００２９】
１  定盤
２  絶縁材
３  定盤取付台
４  隙間
５、１５  ボルト
６  加工槽
７、８  界面
９、１０  剪断方向応力
１１ａ、１１ｂ  摩擦力
１２  ワーク
１３  逃がし形状部
１４  絶縁材料
２０  ワーク取付台
３０  絶縁平板
【図１】
2013054444.tif 000003
【図２】
2013054444.tif 000004
【図３】
2013054444.tif 000005
【図４】
2013054444.tif 000006
【図５】
2013054444.tif 000007
【図６】
2013054444.tif 000008
【図７】
2013054444.tif 000009
【手続補正書】
【提出日】平成24年7月12日(2012.7.12)
【手続補正１】
【補正対象書類名】特許請求の範囲
【補正対象項目名】全文
【補正方法】変更
【補正の内容】
【特許請求の範囲】
【請求項１】
加工槽の内部において電極とワークとの間で放電を行って前記ワークの表面を除去することにより、前記ワークを加工する放電加工機のワーク取付台であって、
導電性材料で形成され、前記加工槽の底部に設置された定盤取付台と、
各々が平板状であって、前記定盤取付台の上に各々の間に隙間を空けて並べて固定されて絶縁平板を構成する複数の絶縁材と、
金属材料で形成され、前記絶縁平板の上に固定されて該絶縁平板によって前記定盤取付台と絶縁され、前記ワークが固定される定盤とを有し、
前記定盤取付台は、前記絶縁材同士の間に対応する部分に、下側に凹んだ逃がし形状部を有することを特徴とする放電加工機のワーク取付台。
【請求項２】
前記定盤、前記絶縁平板及び前記定盤取付台を、逆段差をなすように重ねたことを特徴とする請求項１に記載の放電加工機のワーク取付台。
【請求項３】
前記隙間が絶縁材料で封止されたことを特徴とする請求項１または２に記載の放電加工機のワーク取付台。
【請求項４】
前記絶縁平板及び前記定盤が、前記定盤取付台の上面の中心を基準として左右対称に固定されたことを特徴とする請求項１または２に記載の放電加工機のワーク取付台。
【請求項５】
前記定盤は、複数に分割されていることを特徴とする請求項１または２に記載の放電加工機のワーク取付台。
【請求項６】
前記定盤取付台は鋳物であり、前記複数の絶縁材はセラミック板であり、前記定盤はステンレス製であることを特徴とする請求項１または２に記載の放電加工機のワーク取付台。
【請求項７】
加工槽の内部において電極とワークとの間で放電を行って前記ワークの表面を除去することにより、前記ワークを加工する放電加工機のワーク取付台であって、
導電性材料で形成され、前記加工槽の底部に設置された定盤取付台と、
各々が平板状であって、前記定盤取付台の上に各々の間に隙間を空けて並べて固定されて絶縁平板を構成する複数の絶縁材と、
金属材料で形成され、前記絶縁平板の上に固定されて該絶縁平板によって前記定盤取付台と絶縁され、前記ワークが固定される定盤とを有し、
前記隙間が絶縁材料で封止されたことを特徴とする放電加工機のワーク取付台。
【請求項８】
前記定盤、前記絶縁平板及び前記定盤取付台を、逆段差をなすように重ねたことを特徴とする請求項７に記載の放電加工機のワーク取付台。
【請求項９】
前記絶縁平板及び前記定盤が、前記定盤取付台の上面の中心を基準として左右対称に固定されたことを特徴とする請求項７または８に記載の放電加工機のワーク取付台。
【請求項１０】
前記定盤は、複数に分割されていることを特徴とする請求項７または８に記載の放電加工機のワーク取付台。
【請求項１１】
前記定盤取付台は鋳物であり、前記複数の絶縁材はセラミック板であり、前記定盤はステンレス製であることを特徴とする請求項７または８に記載の放電加工機のワーク取付台。
【国際調査報告】
2013054444.tif 000010
2013054444.tif 000011
2013054444.tif 000012
2013054444.tif 000013